(57)【要約】【課題】紫外線センサにおける感度の入射角度依存性を抑え、入射角度の違いによる感度の違いの均一化を図った紫外線センサおよび紫外線量測定装置を提供する。【解決手段】  紫外線センサ１０は、紫外線を受光し得る受光素子１２を含み、受光素子１２の受光面に対してほぼ垂直に向かって進む紫外線の少なくとも一部を減衰又は遮光する。紫外線センサ１０は、減衰又は遮光部２０と、受光素子１２に向かって進む光を拡散するための光拡散部１６とが設けられ、減衰又は遮光部２０は、平面的にみて、紫外線センサ１２を完全に又は一部を覆うように設けられている。【選択図】図３
2020056665.tif 000002
【特許請求の範囲】
【請求項１】
紫外線を受光し得る受光素子を含み、
前記受光素子の受光面に対してほぼ垂直に向かって進む紫外線の少なくとも一部を減衰又は遮光するための減衰又は遮光部と、
前記受光素子に向かって進む光を拡散するための光拡散部とを含む紫外線センサ。
【請求項２】
請求項１において、
前記受光素子が、前記紫外線センサの受光面に対して垂直方向から入射する紫外線の入射角度を０°としたときの紫外線の入射角度をｘとし、前記受光素子の感度ｆ（ｘ）の特性を有する場合において、
前記紫外線の入射角度ｘを横軸とし、前記感度ｆ１（ｘ）を縦軸としたときに、前記感度ｆ１（ｘ）のグラフは上に凸の形状を有し、
前記ｆ１（ｘ）のグラフの凸の形状部分の最高感度Ｉ１ｍａｘに対して、前記最高感度Ｉ１ｍａｘに対応する入射角度における前記減衰又は遮光部及び光拡散部の減衰割合Ｄ１ｍａｘを乗じて得た感度Ｉ１Eｍａｘとし、
前記受光素子の受光面に対して前記グラフの半値幅の入射角度ｘ１／２の方向からの紫外線における前記受光素子の感度Ｉ１１／２に対して、前記減衰又は遮光部における前記半値幅に対応する入射角度ｘ１／２における前記減衰又は遮光部及び光拡散部の減衰割合Ｄ１１／２を乗じて得た感度Ｉ１E１／２とが、以下の式を満たす紫外線センサ。
（式１）
（｜Ｉ１Eｍａｘ−Ｉ１E１／２｜／Ｉ１E１／２）×１００≦５０
Ｉ１Eｍａｘ＝Ｉ１ｍａｘ×Ｄ１ｍａｘ
Ｉ１E １／２＝Ｉ１１／２×Ｄ１１／２
【請求項３】
請求項１または２において、
平面的にみて、前記受光素子の中央部分における前記減衰又は遮光部が被覆する面積の密度が、前記受光素子の中央部分より外側における前記減衰又は遮光部が被覆する面積の密度よりも大きい紫外線センサ。
【請求項４】
請求項１〜３のいずれかにおいて、
前記減衰又は遮光部は、金属蒸着膜または塗布膜である紫外線センサ。
【請求項５】
請求項１〜４のいずれかにおいて、
前記減衰又は遮光部は、複数の減衰または遮蔽機能を有する構成要素から構成され、
前記構成要素は、平面的にみて方形および円形の少なくとも一方の形状を有し、所定のパターンで配置されている紫外線センサ。
【請求項６】
紫外線を受光し得る受光素子を含み、
前記受光素子の受光面に対してほぼ垂直に向かって進む紫外線を屈折させて前記受光面に導くための光案内部を含み、
前記光案内部は、光透過体と、前記光透過体を通過した光を拡散させるための光拡散部とを含む紫外線センサ。
【請求項７】
請求項６において、
前記受光素子が、前記紫外線センサの受光面に対して垂直方向から入射する紫外線の入射角度を０°としたときの紫外線の入射角度をｘとし、前記受光素子の感度ｆ２（ｘ）の特性を有する場合において、
前記紫外線の入射角度ｘを横軸とし、前記感度ｆ２（ｘ）を縦軸としたときに、前記感度ｆ２（ｘ）のグラフは上に凸の形状を有し、
前記ｆ２（ｘ）のグラフの凸の形状部分の最高感度Ｉ２ｍａｘに対して、前記最高感度Ｉ２ｍａｘに対応する入射角度における前記光案内部の減衰割合Ｄ２ｍａｘを乗じて得た感度Ｉ２Eｍａｘとし、
前記受光素子の受光面に対して前記グラフの半値幅の入射角度ｘ１／２の方向からの紫外線における前記受光素子の感度Ｉ２１／２に対して、前記減衰又は遮光部における前記半値幅に対応する入射角度ｘ１／２における前記光案内部の減衰割合Ｄ２１／２を乗じて得た感度Ｉ２E１／２とが、以下の式を満たす紫外線センサ。
（式２）
（｜Ｉ２Eｍａｘ−Ｉ２E１／２｜／Ｉ２E１／２）×１００≦５０
Ｉ２Eｍａｘ＝Ｉ２ｍａｘ×Ｄ２ｍａｘ
Ｉ２E１／２＝Ｉ２１／２×Ｄ２１／２
【請求項８】
請求項６または７において、
前記光透過体は、１０％以上の透過割合を有する紫外線センサ。
【請求項９】
請求項６〜８のいずれかにおいて、
前記光透過体は、凸レンズ状、凸レンズの上の部分を切り欠いた形状または平板状である紫外線センサ。
【請求項１０】
請求項１〜９のいずれかにおいて、
前記紫外線は、太陽光の紫外線である紫外線センサ。
【請求項１１】
請求項１〜１０のいずれかにおいて、
所定の入射角度の紫外線との関係における前記受光素子の感度と、前記所定の入射角度の紫外線との関係における減衰又は遮光部の透過率とを乗じて得た値を実効感度とした場合に、前記センサの受光面に対して垂直方向から入射する紫外線の入射角度を０°としたときに紫外線の入射角度が−４５°〜４５°の範囲において、各入射角度のセンサの実効感度の平均値は、光の入射角度が−４５°〜４５°の範囲の平均値の±５０％以内にある紫外線センサ。
【請求項１２】
請求項１〜１１のいずれかの紫外線センサを含む紫外線量測定装置。
【発明の詳細な説明】
【技術分野】
【０００１】
本発明は、紫外線を受光するための紫外線センサおよび紫外線量測定装置に関する。
【背景技術】
【０００２】
紫外線センサによる紫外線量を計測する技術が提案されている（特許文献１参照）。紫外線センサとして、たとえば、ビタミンＤ生成量を推定したり、紫外線による皮膚への過度なダメージを防ぐために、紫外線量をモニタリングするために、紫外線センサが用いられている。
【先行技術文献】
【特許文献】
【０００３】
【特許文献１】特開２０１２−１４６７０６号公報
【発明の概要】
【発明が解決しようとする課題】
【０００４】
本発明の目的は、紫外線センサにおける感度の入射角度依存性を抑え、入射角度の違いによる感度の違いの均一化を図った紫外線センサおよび紫外線量測定装置を提供することにある。
【課題を解決するための手段】
【０００５】
１．紫外線センサ
（１）第１の紫外線センサ
本発明の第１の紫外線センサは、
紫外線を受光し得る受光素子を含み、
前記受光素子の受光面に対してほぼ垂直に向かって進む紫外線の少なくとも一部を減衰又は遮光するための減衰又は遮光部と、
前記受光素子に向かって進む光を拡散するための光拡散部とを含む。
【０００６】
本発明において、
前記受光素子が、前記紫外線センサの受光面に対して垂直方向から入射する紫外線の入射角度を０°としたときの紫外線の入射角度をｘとし、前記受光素子の感度ｆ（ｘ）の特性を有する場合において、
前記紫外線の入射角度ｘを横軸とし、前記感度ｆ１（ｘ）を縦軸としたときに、前記感度ｆ１（ｘ）のグラフは上に凸の形状を有し、
前記ｆ１（ｘ）のグラフの凸の形状部分の最高感度Ｉ１ｍａｘに対して、前記最高感度Ｉ１ｍａｘに対応する入射角度における前記減衰又は遮光部及び光拡散部の減衰割合Ｄ１ｍａｘを乗じて得た感度Ｉ１Eｍａｘとし、
前記受光素子の受光面に対して前記グラフの半値幅の入射角度ｘ１／２の方向からの紫外線における前記受光素子の感度Ｉ１１／２に対して、前記減衰又は遮光部における前記半値幅に対応する入射角度ｘ１／２における前記減衰又は遮光部及び光拡散部の減衰割合Ｄ１１／２を乗じて得た感度Ｉ１E１／２とが、以下の式を満たす態様をとることができる。
（式１）
（｜Ｉ１Eｍａｘ−Ｉ１E１／２｜／Ｉ１E１／２）×１００≦５０
Ｉ１Eｍａｘ＝Ｉ１ｍａｘ×Ｄ１ｍａｘ
Ｉ１E １／２＝Ｉ１１／２×Ｄ１１／２
本発明において、
平面的にみて、前記受光素子の中央部分における前記減衰又は遮光部が被覆する面積の密度が、前記受光素子の中央部分より外側における前記減衰又は遮光部が被覆する面積の密度よりも大きい態様をとることができる。
【０００７】
本発明において、前記減衰又は遮光部は、金属蒸着膜または塗布膜であることができる。
【０００８】
本発明において、
前記減衰又は遮光部は、複数の減衰または遮蔽機能を有する構成要素から構成され、
前記構成要素は、平面的にみて方形および円形の少なくとも一方の形状を有し、所定のパターンで配置されていることができる。
【０００９】
（２）第２の紫外線センサ
本発明の第２の紫外線センサは、
紫外線を受光し得る受光素子を含み、
前記受光素子の受光面に対してほぼ垂直に向かって進む紫外線を屈折させて前記受光面に導くための光案内部を含み、
前記光案内部は、光透過体と、前記光透過体を通過した光を拡散させるための光拡散部とを含む。
【００１０】
本発明において、
前記受光素子が、前記紫外線センサの受光面に対して垂直方向から入射する紫外線の入射角度を０°としたときの紫外線の入射角度をｘとし、前記受光素子の感度ｆ２（ｘ）の特性を有する場合において、
前記紫外線の入射角度ｘを横軸とし、前記感度ｆ２（ｘ）を縦軸としたときに、前記感度ｆ２（ｘ）のグラフは上に凸の形状を有し、
前記ｆ２（ｘ）のグラフの凸の形状部分の最高感度Ｉ２ｍａｘに対して、前記最高感度Ｉ２ｍａｘに対応する入射角度における前記光案内部の減衰割合Ｄ２ｍａｘを乗じて得た感度Ｉ２Eｍａｘとし、
前記受光素子の受光面に対して前記グラフの半値幅の入射角度ｘ１／２の方向からの紫外線における前記受光素子の感度Ｉ２１／２に対して、前記減衰又は遮光部における前記半値幅に対応する入射角度ｘ１／２における前記光案内部の減衰割合Ｄ２１／２を乗じて得た感度Ｉ２E１／２とが、以下の式を満たす態様をとることができる。
（式２）
（｜Ｉ２Eｍａｘ−Ｉ２E１／２｜／Ｉ２E１／２）×１００≦５０
Ｉ２Eｍａｘ＝Ｉ２ｍａｘ×Ｄ２ｍａｘ
Ｉ２E１／２＝Ｉ２１／２×Ｄ２１／２
【００１１】
本発明において、前記光透過体は、１０％以上の透過割合を有することができる。
【００１２】
本発明において、前記光透過体は、凸レンズ状、凸レンズの上の部分を切り欠いた形状または平板状であることができる。
【００１３】
第１および第２の紫外線センサにおいて、前記紫外線は、太陽光の紫外線であることができる。
【００１４】
第１および第２の紫外線センサにおいて、
所定の入射角度の紫外線との関係における前記受光素子の感度と、前記所定の入射角度の紫外線との関係における減衰又は遮光部の透過率とを乗じて得た値を実効感度とした場合に、前記センサの受光面に対して垂直方向から入射する紫外線の入射角度を０°としたときに紫外線の入射角度が−４５°〜４５°の範囲において、各入射角度のセンサの実効感度の平均値は、光の入射角度が−４５°〜４５°の範囲の平均値の±５０％以内とすることができる。
【００１５】
２．紫外線量測定装置
本発明の紫外線量測定装置は、本発明の紫外線センサを含む。
【発明の効果】
【００１６】
本発明によれば、紫外線センサにおける感度の入射角度依存性を抑え、入射角度の違いによる感度の違いの均一化を図った紫外線センサおよび紫外線量測定装置を実現することができる。
【図面の簡単な説明】
【００１７】
【図１】図１（Ａ）は紫外線センサの感度を説明するためのである。図１（Ｂ）は、入射角度と紫外線の減衰率Ｄのグラフを示す。図１（Ｃ）は、紫外線センサの感度ＩEｍａｘと、感度ＩE１／２の関係図を示す。
【図２】入射角度を説明するための図である。
【図３】第１の実施の形態に係る紫外線センサを模式的に示す図である。
【図４】第１の実施の形態に係る紫外線センサを模式的に示す図である。
【図５】第１の実施の形態に係る紫外線センサを模式的に示す図である。
【図６】第１の実施の形態に係る紫外線センサを模式的に示す図である。
【図７】減衰又は遮光部と受光素子との平面的関係を模式的に示す図である。
【図８】減衰又は遮光部の平面形状を模式的に示す図である。
【図９】図９（Ａ）は受光素子１２の感度曲線（ｆ１（ｘ））を模式的に示したものと、紫外線が光拡散部１６を通過した場合の受光素子の感度曲線（ｆ１ａ（ｘ））を模式的に示したものとを示す。図９（Ｂ）は、減衰又は遮光部及び光拡散部の減衰特性を模式的に示したものである。
【図１０】受光素子の感度に対して、減衰又は遮光部及び光拡散部の減衰割合を乗じて得たグラフを模式的に示す。
【図１１】第２の実施の形態に係る紫外線センサを模式的に示す図である。
【図１２】図１２（Ａ）は、受光素子の入射角度依存感度特性を模式的に示す。図１２（Ｂ）は光案内部の入射角度依存減衰率を模式的に示す。
【図１３】図１３（Ａ）は、受光素子の感度に対して、光案内部の減衰割合を乗じて得たグラフを模式的に示す。図１３（Ｂ）は、図１３（Ａ）の感度を増幅したものである。
【図１４】実施の形態に係る紫外線量測定装置を模式的に示す図であり、図１４（Ｂ）は図１４（Ａ）のＡ１−Ａ１線に沿った断面を模式的に示す図である。
【発明を実施するための形態】
【００１８】
以下、本発明の好適な実施の形態について図面を参照しながら説明する。
１．基本原理説明
本発明者は、紫外線センサ１００が受光面に対して垂直方向を中心として一定の方向から紫外線の受光感度が特異的に大きいことを考慮し、その垂直方向を中心として一定の方向から紫外線を減衰または遮光することで、紫外線センサ１００の向きに応じた異常感度を抑えることができることを見出した。
【００１９】
また、本発明者は、紫外線センサ１００の感度が入射角度依存の特性を有しており、その入射角度依存性に応じて紫外線を遮光または減衰させることで、紫外線センサ１００の実効感度を均一化し、紫外線センサ１００の異常感度を抑えることができることを見出した。より具体的には、紫外線の入射角度をｘ軸とし、紫外線センサ１００の感度をｙ軸としたときに得られるグラフを第１のグラフとした場合に、入射角度をｘ軸とし、紫外線の減衰度合をｙ軸として得られるグラフがｘ軸で反転したような形状を有するような紫外線量の減衰を行うことが特に好ましい。つまり、紫外線センサ１００の感度に紫外線量の減衰割合を乗じて得たものを紫外線センサ１００の実効感度とした場合に、その実効感度が均一になるようにすることで、紫外線センサ１００の向きに応じた異常感度を抑えることができる。
【００２０】
図１（Ａ）に示すように、受光素子１２が、紫外線センサ１００の受光面に対して垂直方向から入射する紫外線の入射角度を０°としたときの紫外線の入射角度をｘとし、受光素子１２の感度ｆ（ｘ）の特性を有する場合を考える。紫外線の入射角度ｘを横軸とし、感度ｆ（ｘ）を縦軸としたときに、感度ｆ（ｘ）のグラフは上に凸の形状（たとえばガウシアン分布曲線）を有し、ｆ（ｘ）のグラフの凸の形状部分の最高感度Ｉｍａｘに対して、最高感度ＩＥｍａｘに対応する入射角度における紫外線の減衰割合Ｄｍａｘを乗じて得た感度ＩEｍａｘとし、受光素子１２の受光面に対して前記グラフの半値幅の入射角度ｘ１／２の方向からの紫外線における前記受光素子１２の感度Ｉ１／２に対して、半値幅に対応する入射角度ｘ１／２における紫外線の減衰割合Ｄ１／２を乗じて得た感度ＩE１／２とが、以下の式を満たすような構成とすることができる。
（式１）
（｜ＩEｍａｘ−ＩE１／２｜／Ｉ２E１／２）×１００≦５０
ＩEｍａｘ＝Ｉｍａｘ×Ｄｍａｘ
ＩE１／２＝Ｉ１／２×Ｄ１／２
ここで、減衰割合は透過率で示される。
【００２１】
図１（Ｂ）において、入射角度と紫外線の減衰率Ｄのグラフを示す。図１（Ｃ）は、紫外線センサ１０の感度ＩEｍａｘと、感度ＩE１／２の関係図を示す。図２は、入射角度を説明するための図である。
【００２２】
本実施の形態は、感度が高い垂直方向近辺からの光を減衰または遮光することで、感度を均一化し、紫外線量の測定に好適な紫外線センサ１００を実現することができるものである。
【００２３】
紫外線センサ１００は、太陽光の紫外線を測定する際に特に有用である。
【００２４】
２．第１の実施の形態
（１）構成例
第１の実施の形態に係る紫外線センサ１００は、紫外線を受光し得る受光素子１２と、減衰又は遮光部２０と、光拡散部１６とを含む。
【００２５】
受光素子１２は、公知のフォトダイオードなどの紫外線受光素子１２を適用することができる。受光素子１２は、図３に示すように、センサパッケージ１４内に設けることができる。
【００２６】
減衰又は遮光部２０は、受光素子１２の受光面に対してほぼ垂直に向かって進む紫外線の少なくとも一部を減衰又は遮光するためのものである。減衰又は遮光部２０の材質は、少なくとも紫外線を減衰又は遮光するものであれば特に限定されない。減衰又は遮光部２０の材質は、紫外線および可視光を減衰または遮光するものであってもよい。
【００２７】
減衰又は遮光部２０は、たとえば、樹脂フィルム、樹脂シート、金属膜、金属シート、金属蒸着膜、金属スパッタ膜、カーボン膜などを挙げることができる。
金属蒸着膜および金属スパッタ膜の材質としては、たとえば、アルミニウム、クロム、ニッケル、モリブデン、金、銀などを挙げることができる。カーボン膜は、たとえば、カーボン蒸着膜、または、ダイヤモンドライクカーボン薄膜などからなることができる。
【００２８】
減衰又は遮光部２０は、塗料を塗布または印刷することにより形成してもよい。
【００２９】
減衰又は遮光部２０は、図３〜７に示すように、平面的にみて、受光素子１２を覆うように設けてもよい。具体的には、光拡散部１６の受光素子１２がある側の反対側の面に設ける態様（図４参照）、光拡散部１６の受光素子１２がある側の面に設ける態様（図５参照）、センサパッケージ１４の光拡散部１６側の面に設ける態様（図６参照）のいずれかの態様、または、これら態様の組み合わせの態様（図３参照）をとってもよい。減衰又は遮光部２０は、図８（Ａ）に示すように、受光素子１２を完全に覆うように設けることができる。受光素子１２の端と、減衰又は遮光部２０の端とを結んだ線と、受光素子１２の受光面の垂線とのなす角度α°がたとえば３０°〜５０°、好ましくは４０°〜４５°とすることができる。これにより受光面に対して垂直方向からの紫外線を斜め方向からの紫外線と比較して減衰させることができる。
【００３０】
また、図８（Ｂ）および図８（Ｃ）に示すように、平面的にみて、受光素子１２の中央部分における減衰又は遮光部２０が被覆する面積の密度が、受光素子１２の中央部分より外側における減衰又は遮光部２０が被覆する面積の密度よりも大きくすることができる。これにより受光面に対して垂直方向からの紫外線を斜め方向からの紫外線と比較して減衰さえることができる。
【００３１】
減衰又は遮光部２０は、複数の減衰または遮蔽機能を有する構成要素から構成され、その構成要素は、平面的にみて方形または略方形（図８（Ｂ））および円形または略方形（図８（Ｃ））の少なくとも一方の形状を有し、所定のパターンで配置されていることができる。中央部分の構成要素の面積は、中央部分の外側の構成要素より、面積を大きくすることができる。より具体的には、中央から外側に向かうにしたがって、構成要素の面積を小さくすることができる。これにより受光面に対して垂直方向からの紫外線を斜め方向からの紫外線と比較して減衰させることができる。
【００３２】
また、減衰又は遮光部２０の構成要素は、同心円状（図８（Ｄ））、同心略円状、同心正方形状などの同心方形状（図８（Ｅ））、同心略方形状などの同心多角形状としてもよい。
【００３３】
減衰又は遮光部２０の厚さは、その材質が有する減衰又は遮光機能やその形成方法により異なるが、蒸着膜の場合にはたとえば０．５μｍ〜１０μｍとすることができ、印刷により形成される場合にはたとえば５〜２０μｍとすることができる。
【００３４】
光拡散部１６は、受光素子１２に向かって進む光を拡散するためのものであり、光拡散機能を有するものであれば特に限定されず、たとえばアクリル板またはシクロオレフィン板からなることができる。
【００３５】
（２）特性
紫外線センサ１００は、受光素子１２が、紫外線センサ１００の受光面に対して垂直方向から入射する紫外線の入射角度を０°としたときの紫外線の入射角度をｘとし、受光素子１２の感度ｆ（ｘ）の特性を有する場合において、紫外線の入射角度ｘを横軸とし、感度ｆ１（ｘ）を縦軸としたときに、感度ｆ１（ｘ）のグラフは上に凸の形状を有し、ｆ１（ｘ）のグラフの凸の形状部分の最高感度Ｉ１ｍａｘに対して、最高感度Ｉ１ｍａｘに対応する入射角度における減衰又は遮光部２０及び光拡散部１６の減衰割合Ｄ１ｍａｘを乗じて得た感度Ｉ１Eｍａｘとし、受光素子１２の受光面に対してグラフの半値幅の入射角度ｘ１／２の方向からの紫外線における受光素子１２の感度Ｉ１１／２に対して、減衰又は遮光部２０における半値幅に対応する入射角度ｘ１／２における減衰又は遮光部２０及び光拡散部１６の減衰割合Ｄ１１／２を乗じて得た感度Ｉ１E１／２とが、以下の式を満たすことができる。
（式１）
（｜Ｉ１Eｍａｘ−Ｉ１E１／２｜／Ｉ１E１／２）×１００≦５０
Ｉ１Eｍａｘ＝Ｉ１ｍａｘ×Ｄ１ｍａｘ
Ｉ１E １／２＝Ｉ１１／２×Ｄ１１／２
「（｜Ｉ１Eｍａｘ−Ｉ１E１／２｜／Ｉ１E１／２）×１００」は、好ましくは４０以下、より好ましくは３０以下である。
【００３６】
図９（Ａ）は受光素子１２の感度曲線（ｆ１（ｘ））を模式的に示したものと、紫外線が光拡散部１６を通過した場合の受光素子１２の感度曲線（ｆ１ａ（ｘ））を模式的に示したものとを示す。図９（Ｂ）は、減衰又は遮光部２０及び光拡散部１６の減衰特性を模式的に示したものである。図１０は、受光素子１２の感度に対して、減衰又は遮光部２０及び光拡散部１６の減衰割合を乗じて得たグラフを模式的に示す。
【００３７】
３．第２の実施の形態
（１）構成例
第２の実施の形態に係る紫外線センサ１００は、図１１に示すように、紫外線を受光し得る受光素子１２を含み、受光素子１２の受光面に対してほぼ垂直に向かって進む紫外線を屈折させて受光面に導くための光案内部３０を含む。
【００３８】
受光素子１２は、公知のフォトダイオードなどの紫外線受光素子１２を適用することができる。受光素子１２は、図３に示すように、センサパッケージ１４内に設けることができる。
【００３９】
光案内部３０は、光拡散部３６と、所定の透過割合を有する光透過体３２とを含むことができる。紫外線センサ１００は、受光素子１２、光拡散部３６、光透過体３２の順に配置することができる。
【００４０】
光拡散部３６は、受光素子１２に向かって進む光を拡散するためのものであり、光拡散機能を有するものであれば特に限定されない。光透過体の材質は、たとえば、紫外線透過ガラス、アクリル樹脂やシクロオレフィンポリマーなどのプラスチックなどからなることができる。
【００４１】
また、光透過体は、光拡散機能は、少なくとも、紫外線を遮蔽する材質を遮断する材質の微小粉末（たとえばチタンオキサイドやカーボンや金属粉末など）をフィラーとして混ぜ込んでもよい。
【００４２】
光透過体の表面は、所定の粗さを有していてもよい。その表面の粗さとしては、表面粗さをＲａでいうと、たとえば、Ｒａ５〜２５μｍとすることができる。
【００４３】
光透過体３２の透過割合は、たとえば、１０％以上、好ましくは、１０〜８０％とすることができる。光透過体３２は、図１１に示すように、凸レンズ状（図１１（Ａ））、凸レンズの上の部分を切り欠いた形状（図１１（Ｂ））または平板状（図１１（Ｃ））とすることができる。
【００４４】
（２）特性
紫外線センサ１００は、受光素子１２が、紫外線センサ１００の受光面に対して垂直方向から入射する紫外線の入射角度を０°としたときの紫外線の入射角度をｘとし、受光素子１２の感度ｆ２（ｘ）の特性を有する場合において、紫外線の入射角度ｘを横軸とし、感度ｆ２（ｘ）を縦軸としたときに、感度ｆ２（ｘ）のグラフは上に凸の形状を有し、ｆ２（ｘ）のグラフの凸の形状部分の最高感度Ｉ２ｍａｘに対して、最高感度Ｉ２ｍａｘに対応する入射角度における光案内部３０の減衰割合Ｄ２ｍａｘを乗じて得た感度Ｉ２Eｍａｘとし、受光素子１２の受光面に対してグラフの半値幅の入射角度ｘ１／２の方向からの紫外線における受光素子１２の感度Ｉ２１／２に対して、減衰又は遮光部２０における半値幅に対応する入射角度ｘ１／２における光案内部３０の減衰割合Ｄ２１／２を乗じて得た感度Ｉ２E１／２とが、以下の式を満たすことができる。
（式２）
（｜Ｉ２Eｍａｘ−Ｉ２E１／２｜／Ｉ２E１／２）×１００≦５０
Ｉ２Eｍａｘ＝Ｉ２ｍａｘ×Ｄ２ｍａｘ
Ｉ２E１／２＝Ｉ２１／２×Ｄ２１／２
ここで、「（｜Ｉ２Eｍａｘ−Ｉ２E１／２｜／Ｉ２E１／２）×１００」は、好ましくは４０以下、より好ましくは３０以下である。
【００４５】
図１２（Ａ）は、受光素子１２の入射角度依存感度特性を模式的に示す。図１２（Ｂ）は光案内部３０の入射角度依存減衰率を模式的に示す。図１３（Ａ）は、受光素子１２の感度に対して、光案内部３０の減衰割合を乗じて得たグラフを模式的に示す。図１３（Ｂ）は、図１３（Ａ）の感度を増幅したものである。
【００４６】
４．応用例
紫外線量測定装置１００は、図１４に示すように、筐体４０と、実施の形態に係る紫外線センサ１００と含む。紫外線センサ１００は、筐体４０に複数設けてもよく、紫外線センサ１００を複数設けることで、より広角で紫外線量を測定することができる。紫外線センサ１００の向く方向のなす角度は、たとえば７０°〜９０°とすることができる。具体的には、図１４（Ａ）に示すように、４つの紫外線センサ１００を紫外線量測定装置に設けることができる。図１４（Ａ）の各矢印は、受光素子１２の受光面の垂直方向を示す。図１４（Ｂ）に示すように、紫外線量測定装置１００の上下の面に紫外線センサ１００を設けてもよい。複数の紫外線センサ１００を配置することで、あらゆる方向からの紫外線を受光することができる。
【００４７】
上記の実施の形態は、本発明の要旨の範囲内で種々の変更が可能である。
【符号の説明】
【００４８】
１０  紫外線センサ
１２  受光素子
１４  センサパッケージ
１６  光拡散部
２０  減衰又は遮光部
３０  光案内部
３２  光透過体
３６  光拡散部
４０  筐体
１００  紫外線測定装置
【図１】
2020056665.tif 000003
【図２】
2020056665.tif 000004
【図３】
2020056665.tif 000005
【図４】
2020056665.tif 000006
【図５】
2020056665.tif 000007
【図６】
2020056665.tif 000008
【図７】
2020056665.tif 000009
【図８】
2020056665.tif 000010
【図９】
2020056665.tif 000011
【図１０】
2020056665.tif 000012
【図１１】
2020056665.tif 000013
【図１２】
2020056665.tif 000014
【図１３】
2020056665.tif 000015
【図１４】
2020056665.tif 000016